(57)【要約】【課題】１つの記憶媒体を複数人が利用する場合において、読み取り専用の記憶媒体を用いた場合にも、各利用者が各自のレジューム再生を行うことが可能な再生装置を提供する。【解決手段】ＢＤプレーヤ１００は、ＢＤ１５０に記憶されたコンテンツを読み取る光ピックアップ１１と、コンテンツの再生を制御する制御部１６と、ＢＤ１５０毎に利用者の一覧を記憶するとともに、利用者の一覧の利用者毎にレジュームポイントを記憶する記憶部１５と、を備えている。制御部１６は、利用者選択画面を表示装置２００に表示させるとともに、利用者が選択された場合に、再生開始位置選択画面を表示装置２００に表示させる。【選択図】図１
2010205331.tif 000002
【特許請求の範囲】
【請求項１】
記憶媒体に記憶されたコンテンツを読み取る読取部と、
前記読取部により読み取られたコンテンツの再生を制御する制御部と、を備えた再生装置において、
記憶媒体毎に利用者の一覧を記憶するとともに、前記利用者の一覧の利用者毎に映像の再生開始位置を記憶する記憶部をさらに備え、
前記制御部は、
記憶媒体に記憶されたコンテンツの映像を再生する際に、
前記記憶媒体に対応する利用者の一覧から、利用者を選択させるための選択画面を表示部に表示させるとともに、
利用者が選択された場合に、選択された利用者に対応する再生開始位置から映像を再生するか否かを選択させる選択画面を表示部に表示させる、ことを特徴とする再生装置。
【請求項２】
請求項１に記載の再生装置において、
前記利用者を選択させるための選択画面には、利用者を追加させるための項目が含まれている、ことを特徴とする再生装置。
【請求項３】
請求項１または請求項２に記載の再生装置において、
前記制御部は、映像の再生が停止された場合に、前記記憶部に記憶された再生開始位置を更新する、ことを特徴とする再生装置。
【発明の詳細な説明】
【技術分野】
【０００１】
本発明は、コンテンツのレジューム再生機能を備えた再生装置に関する。
【背景技術】
【０００２】
従来、コンテンツのレジューム再生機能を備えた再生装置が種々知られている（たとえば、特許文献１〜５参照）。なお、レジューム再生とは、前回再生が停止された位置から、コンテンツの再生を開始することをいう。
【０００３】
上記特許文献１には、ディスクに対してコンテンツの書き込みおよび読み取りを行うためのディスクインターフェースを備えたビデオカメラが開示されている。このビデオカメラでは、コンテンツとともに、利用者毎のレジュームポイントがディスクに記録される。これにより、このビデオカメラでは、１つのディスクを複数人が利用する場合に、各利用者が各自のレジューム再生を行うことが可能である。
【０００４】
また、上記特許文献２には、コンテンツ毎にレジューム情報を記録することが可能な再生装置が開示されている。
【０００５】
また、上記特許文献３には、プレイリスト毎にレジューム情報を記録することが可能な記録再生装置が開示されている。
【０００６】
また、上記特許文献４には、ＨＤＭＶ（high definition movie mode）タイトルがＢＤ−Ｊ（Blu-ray（登録商標） Disc Java（登録商標））タイトルに切り替えられた後、ＨＤＭＶタイトルをレジューム再生することが可能な記録再生装置が開示されている。
【０００７】
また、上記特許文献５には、Ｊａｖａアプリケーションの実行中に着信があった場合に、Ｊａｖａアプリケーションが一時的に中断され、通話が終了した後にＪａｖａアプリケーションがレジュームされる端末装置が開示されている。
【先行技術文献】
【特許文献】
【０００８】
【特許文献１】特開２００４−６２９３１号公報
【特許文献２】特開２００５−１５１４４５号公報
【特許文献３】特開２００８−１６６８８９号公報
【特許文献４】特表２００８−５１６３７１号公報
【特許文献５】特開２００４−３０２５１８号公報
【発明の概要】
【発明が解決しようとする課題】
【０００９】
しかしながら、上記特許文献１に開示された従来のビデオカメラでは、１つのディスクを複数人が利用する場合に、各利用者が各自のレジューム再生を行うことが可能であるが、一方、レジュームポイントをディスクに記録するために、書き込み可能なディスクを用いる必要があるという問題点がある。
【００１０】
なお、上記特許文献２〜５には、１つのディスクを複数人が利用する場合に、各利用者が各自のレジューム再生を行うことを可能にする構成については、開示も示唆もされていない。
【００１１】
本発明は、上述した課題を解決するものであって、その目的とするところは、１つの記憶媒体を複数人が利用する場合において、読み取り専用の記憶媒体を用いた場合にも、各利用者が各自のレジューム再生を行うことが可能な再生装置を提供することである。
【課題を解決するための手段】
【００１２】
本発明の再生装置は、記憶媒体に記憶されたコンテンツを読み取る読取部と、読取部により読み取られたコンテンツの再生を制御する制御部と、を備えた再生装置において、記憶媒体毎に利用者の一覧を記憶するとともに、利用者の一覧の利用者毎に映像の再生開始位置を記憶する記憶部をさらに備え、制御部は、記憶媒体に記憶されたコンテンツの映像を再生する際に、記憶媒体に対応する利用者の一覧から、利用者を選択させるための選択画面を表示部に表示させるとともに、利用者が選択された場合に、選択された利用者に対応する再生開始位置から映像を再生するか否かを選択させる選択画面を表示部に表示させる。
【００１３】
このように構成することによって、記憶部に利用者毎の再生開始位置（レジュームポイント）が記憶されることにより、読み取り専用の記憶媒体を用いた場合にも、記憶部に記憶された再生開始位置を用いて、各利用者が各自のレジューム再生を行うことができる。また、利用者を選択させるための選択画面を表示部に表示させるとともに、利用者が選択された場合に、選択された利用者のレジュームポイントを用いてレジューム再生を行うか否かを選択させる選択画面を表示部に表示させることにより、各利用者が容易にレジューム再生を行うことができる。
【００１４】
上記再生装置において、利用者を選択させるための選択画面には、利用者を追加させるための項目が含まれていてもよい。
【００１５】
このように構成すれば、記憶媒体の利用者が増加した場合にも、各利用者が各自のレジューム再生を行うことができる。
【００１６】
上記再生装置において、制御部は、映像の再生が停止された場合に、記憶部に記憶された再生開始位置を更新するようにしてもよい。
【００１７】
このように構成すれば、更新された再生開始位置を用いることにより、レジューム再生を行うことができる。
【発明の効果】
【００１８】
本発明によれば、１つの記憶媒体を複数人が利用する場合において、読み取り専用の記憶媒体を用いた場合にも、各利用者が各自のレジューム再生を行うことが可能な再生装置を提供することができる。
【図面の簡単な説明】
【００１９】
【図１】本発明の一実施形態によるＢＤプレーヤの全体構成を示したブロック図である。
【図２】図１のＢＤプレーヤのアプリケーションデータエリアを説明するための図である。
【図３】図１のＢＤプレーヤのコンテンツの再生時の動作を説明するためのフローチャートである。
【図４】表示装置に利用者選択画面が表示された状態を示した図である。
【図５】表示装置に再生開始位置選択画面が表示された状態を示した図である。
【発明を実施するための形態】
【００２０】
以下、本発明の実施形態について、図面を参照しながら説明する。なお、以下の実施形態では、再生装置の一例であるＢＤ（Blu-ray（登録商標） Disc）プレーヤに本発明を適用した場合について説明する。
【００２１】
まず、図１および図２を参照して、本発明の一実施形態によるＢＤプレーヤ１００の構成について説明する。
【００２２】
本実施形態によるＢＤプレーヤ１００は、図１に示すように、表示装置２００が接続されるプレーヤ本体１と、プレーヤ本体１を遠隔操作するリモコン２とを備えている。
【００２３】
プレーヤ本体１は、光ピックアップ１１と、信号処理部１２と、出力インターフェース（以下、「出力Ｉ／Ｆ」という）１３と、受信部１４と、記憶部１５と、制御部１６とを含んでおり、これらはバス１ａを介して接続されている。なお、光ピックアップ１１は、本発明の「読取部」の一例である。
【００２４】
光ピックアップ１１は、レーザ光源や受光部などを有しており、ＢＤ１５０に記憶されたコンテンツを読み取り、その読み取られた信号を信号処理部１２に出力する。なお、ＢＤ１５０は、本発明の「記憶媒体」の一例である。信号処理部１２は、デコーダ回路やＯＳＤ（On-Screen Display）回路などを有しており、光ピックアップ１１から入力された信号に対して所定の処理を施す。そして、信号処理部１２は、所定の処理が施された信号を出力Ｉ／Ｆ１３に出力する。
【００２５】
出力Ｉ／Ｆ１３は、信号処理部１２から入力された信号を表示装置２００に出力する。表示装置２００は、たとえば、液晶テレビジョン受像機であり、プレーヤ本体１から出力された映像信号に基づいて映像を表示する。なお、表示装置２００は、本発明の「表示部」の一例である。
【００２６】
受信部１４は、フォトダイオードなどを含み、リモコン２から出力されるリモコン信号を受信する。記憶部１５は、書き換え可能な不揮発性のメモリであり、たとえば、フラッシュメモリである。この記憶部１５は、ＢＤ−Ｊ（Blu-ray Disc Java（登録商標））のローカルストレージとして機能する。なお、ＢＤ−Ｊとは、ＢＤの対話型のコンテンツのための仕様である。
【００２７】
記憶部１５には、アプリケーションデータエリア２０が設けられており、アプリケーションデータエリア２０には、図２に示すように、ディスクＩＤ２１と、ディスクＩＤ２１毎の利用者２２と、その利用者２２毎のレジュームポイント（再生開始位置）２３とが記憶されている。すなわち、アプリケーションデータエリア２０には、異なるタイトル（種類）のＢＤ（ディスク）毎に、利用者の一覧と、その利用者毎のレジュームポイントとが記憶される。また、アプリケーションデータエリア２０には、ディスクＩＤ２１毎の各利用者２２にそれぞれ１つのレジュームポイント２３が記憶されている。
【００２８】
制御部１６は、ＣＰＵ、ＲＯＭ、およびＲＡＭなどを有しており、プレーヤ本体１の動作を制御する。また、制御部１６は、ＢＤ１５０に記憶されたＪａｖａアプリケーションを実行することにより映像の再生制御を行う。なお、この映像の再生制御については後で詳細に説明する。
【００２９】
リモコン２は、利用者からの操作指令を受け付ける操作ボタンや、操作指令に応じてリモコン信号を発信する発信部などを有する。
【００３０】
次に、図１〜図５を参照して、本実施形態によるＢＤプレーヤ１００のコンテンツの再生時の動作について説明する。なお、以下の動作説明では、ＢＤ−Ｊ仕様のコンテンツが記憶され、ディスクＩＤが「ＸＸＸＸ」であるＢＤ１５０（図１参照）が再生される場合について説明する。また、このフローチャートの各ステップは、制御部１６（図１参照）により実行される。
【００３１】
まず、ＢＤプレーヤ１００（図１参照）では、図３のステップＳ１において、ＢＤ１５０の読み込みが行われる。そして、制御部１６により、ＢＤ１５０に記憶されたＪａｖａアプリケーションが実行される。そして、ＢＤ１５０のディスクＩＤ（「ＸＸＸＸ」）が取得される。
【００３２】
次に、ステップＳ２において、記憶部１５（図１参照）のアプリケーションデータエリア２０（図２参照）の読み込みが行われる。そして、ＢＤ１５０のディスクＩＤ（「ＸＸＸＸ」）と対応するデータ（ＢＤ１５０用のデータ）が取得される。なお、取得されるＢＤ１５０用のデータには、ＢＤ１５０の利用者２２の一覧と、その利用者２２毎のレジュームポイント２３とを含む。また、アプリケーションデータエリア２０のディスクＩＤ２１に、読み込まれたＢＤのディスクＩＤがない場合には、初めて読み込まれたＢＤであり、そのＢＤ用のディスクＩＤ２１が作成される。
【００３３】
次に、ステップＳ３において、ＢＤ１５０用のデータに基づいて、ＢＤ１５０の利用者の一覧から、利用者を選択させるための選択画面Ｗ１が表示装置２００に表示される。選択画面Ｗ１には、たとえば、図４に示すように、ＢＤ１５０の利用者Ｎ１〜Ｎ３（図４では、「ＡＡＡＡ」、「ＢＢＢＢ」、および「ＣＣＣＣ」）の一覧とともに、利用者を新たに作成（追加）するための項目Ｍ（図４では、「新規作成」）が表示される。そして、選択画面Ｗ１では、利用者がリモコン２（図１参照）を用いてカーソルＣを操作することにより、利用者Ｎ１〜Ｎ３および項目Ｍのいずれかを選択することが可能である。なお、初めて読み込まれたＢＤの場合には、選択画面Ｗ１に、利用者の一覧が表示されず、利用者を作成するための項目Ｍのみが表示される。
【００３４】
次に、ステップＳ４において、利用者を新たに作成するための項目Ｍが選択されたか否かが判断される。そして、新規作成用の項目Ｍが選択されたと判断された場合には、ステップＳ５に移る。その一方、新規作成用の項目Ｍが選択されていないと判断された場合には、ステップＳ８に移る。
【００３５】
次に、ステップＳ５において、利用者を新たに作成するための画面（図示省略）が表示装置２００に表示される。この画面では、利用者がリモコン２を操作することにより、利用者名を入力することが可能である。
【００３６】
次に、ステップＳ６において、利用者の作成が終了したか否かが判断される。そして、利用者の作成が終了していないと判断された場合には、ステップＳ６が繰り返し行われる。すなわち、ＢＤプレーヤ１００は、利用者の作成が終了するまで待機する。そして、利用者の作成が終了したと判断された場合には、ステップＳ７において、アプリケーションデータエリア２０の利用者２２に作成された利用者が追加され、ステップＳ３に戻る。
【００３７】
また、ステップＳ４で新規作成用の項目Ｍが選択されていない場合、ステップＳ８において、利用者Ｎ１〜Ｎ３のいずれかが選択されたか否かが判断される。そして、利用者Ｎ１〜Ｎ３のいずれも選択されていないと判断された場合には、ステップＳ４に戻る。その一方、利用者Ｎ１〜Ｎ３のいずれかが選択されたと判断された場合には、ステップＳ９に移る。
【００３８】
次に、ステップＳ９において、ＢＤ１５０用のデータに基づいて、選択された利用者のレジュームポイントがあるか否かが判断される。そして、選択された利用者のレジュームポイントがないと判断された場合には、ステップＳ１０において、映像の再生が先頭から開始され、ステップＳ１４に移る。その一方、選択された利用者のレジュームポイントがあると判断された場合には、ステップＳ１１に移る。たとえば、ステップＳ８において利用者Ｎ１が選択された場合には、利用者２２の「ＡＡＡＡ」にレジュームポイント２３があると判断され、ステップＳ１１に移る。
【００３９】
次に、ステップＳ１１において、映像の再生開始位置を利用者に選択させるための選択画面Ｗ２が表示装置２００に表示される。選択画面Ｗ２には、たとえば、図５に示すように、レジュームポイント（再生開始位置）Ｐ（図５では、「タイトル１  チャプター５  ０：５２：２８」）が表示される。そして、選択画面Ｗ２では、利用者がリモコン２を用いてカーソルＣを操作することにより、レジューム再生を行うか否かを選択することが可能である。
【００４０】
次に、ステップＳ１２において、レジューム再生が選択されたか否かが判断される。そして、レジューム再生が選択されていないと判断された場合（図５の「Ｎｏ」が選択された場合）には、ステップＳ１０において、映像の再生が先頭から開始され、ステップＳ１４に移る。その一方、レジューム再生が選択されたと判断された場合（図５の「Ｙｅｓ」が選択された場合）には、ステップＳ１３において、映像の再生がレジュームポイントＰから開始され、ステップＳ１４に移る。
【００４１】
次に、ステップＳ１４において、利用者がリモコン２を操作することにより、映像の再生が停止されたか否かが判断される。そして、再生が停止されたと判断された場合には、ステップＳ１５において、選択された利用者のレジュームポイント２３が停止された位置に更新され、コンテンツの再生動作が終了する。その一方、再生が停止されていないと判断された場合には、ステップＳ１６に移る。
【００４２】
次に、ステップＳ１６において、映像が最後まで再生されることにより、映像の再生が終了したか否かが判断される。そして、再生が終了していないと判断された場合には、ステップＳ１４に戻る。その一方、再生が終了したと判断された場合には、コンテンツの再生動作が終了する。
【００４３】
本実施形態では、上記のように、異なるタイトルのＢＤ毎に、利用者の一覧と、その利用者毎のレジュームポイントとを記憶する記憶部１５を設けることによって、ＢＤ１５０が読み取り専用であっても、記憶部１５に記憶されたレジュームポイント２３を用いて、各利用者が各自のレジューム再生を行うことができる。また、１つのＢＤ１５０を複数人が利用する場合にも、各利用者が各自のレジューム再生を行うことができるとともに、ＢＤを入れ替えた場合にも、各利用者が各自のレジューム再生を入れ替えられたＢＤに応じて行うことができる。
【００４４】
また、本実施形態では、利用者選択画面Ｗ１を表示装置２００に表示するとともに、利用者が選択された場合に、再生開始位置選択画面Ｗ２を表示装置２００に表示することによって、各利用者が容易にレジューム再生を行うことができる。
【００４５】
また、本実施形態では、利用者選択画面Ｗ１に利用者を追加するための項目Ｍを設けることによって、ＢＤ１５０の利用者が増加した場合にも、各利用者が各自のレジューム再生を行うことができる。
【００４６】
また、本実施形態では、再生が停止された場合に（図３のステップＳ１４：Yes）、選択された利用者のレジュームポイント２３を停止された位置に更新する（図３のステップＳ１５）ことによって、更新されたレジュームポイント２３を用いて、レジューム再生を行うことができる。
【００４７】
本発明は、上述した以外にも種々の実施形態を採用することができる。たとえば、上記実施形態において、ＢＤプレーヤ１００がＢＤ１５０に対して再生だけでなく記録が可能であってもよいし、ＢＤプレーヤ１００にハードディスクが設けられていてもよい。
【００４８】
また、上記実施形態では、アプリケーションデータエリア２０に、ディスクＩＤ２１毎の各利用者２２にそれぞれ１つのレジュームポイント２３が記憶される例を示したが、これに限らず、アプリケーションデータエリア２０に、ディスクＩＤ２１毎の各利用者２２にそれぞれ複数のレジュームポイント２３が記憶されるようにしてもよい。そして、選択画面Ｗ２に、複数のレジュームポイントを表示し、利用者に複数のレジュームポイントからいずれかのレジュームポイントを選択させるようにしてもよい。
【００４９】
また、上記実施形態において、映像が最後まで再生されることにより、映像の再生が終了したと判断された場合に（図３のステップＳ１６：Yes）、選択された利用者のレジュームポイント２３を削除するようにしてもよい。
【００５０】
また、上記実施形態において、選択画面Ｗ１に、利用者を削除するための項目が設けられていてもよい。このように構成すれば、ＢＤ１５０を利用し終わった利用者を削除することにより、選択画面Ｗ１に不要な利用者が表示されるのを防止することができる。
【００５１】
また、上記実施形態では、選択画面Ｗ２には、図５に示すように、レジュームポイントを示す文字情報が表示される例を示したが、これに限らず、選択画面Ｗ２に、レジュームポイントの画像が表示されるようにしてもよい。
【００５２】
また、上記実施形態では、記憶部１５にアプリケーションデータエリア２０が設けられる例を示したが、これに限らず、制御部１６のＲＯＭにアプリケーションデータエリア２０が設けられていてもよい。
【００５３】
また、上記実施形態では、初めて読み込まれたＢＤの場合には、ステップＳ３において、選択画面Ｗ１に、利用者の一覧が表示されず、利用者を作成するための項目Ｍのみが表示される例を示したが、これに限らず、初めて読み込まれたＢＤの場合（ステップＳ２において、アプリケーションデータエリア２０のディスクＩＤ２１に、読み込まれたＢＤのディスクＩＤがない場合）には、ステップＳ３およびＳ４を省略して、ステップＳ５に移るようにしてもよい。
【符号の説明】
【００５４】
１１    光ピックアップ（読取部）
１５    記憶部
１６    制御部
１００  ＢＤプレーヤ（再生装置）
１５０  ＢＤ（記憶媒体）
２００  表示装置（表示部）
【図１】
2010205331.tif 000003
【図２】
2010205331.tif 000004
【図３】
2010205331.tif 000005
【図４】
2010205331.tif 000006
【図５】
2010205331.tif 000007